(57)【要約】【課題】  メモリカードの着脱が容易であり、メモリカードが抜け落ちるのを効果的に防止できる携帯通信端末装置を提供することを目的とする。【解決手段】  カード挿入口に対してＳＤカード８を第１の挿入位置まで挿入した後（図６（ａ））、付勢手段の付勢力に抗してさらにＳＤカード８を挿入することにより、第２の挿入位置でＳＤカード８を係止する（図６（ｄ））。これにより、操作筐体３から電池５を取り外した後、直ちにカード挿入口に対してＳＤカード８を着脱することができるので、カード挿入口を蓋で開閉する作業を伴うような構成と比較して、ＳＤカード８の着脱が容易である。また、万一、ＳＤカード保持装置９によるＳＤカード８の係止状態が外れた場合であっても、メモリカードの後端を電池の側面に当接させ、カード挿入口から抜け落ちるのを防止できる。【選択図】  図６
2007109036.tif 000002
【特許請求の範囲】
【請求項１】
データ通信回路を内蔵し、上記データ通信回路に電気的に接続されるメモリカードが挿入されるカード挿入口が形成された筐体と、
上記データ通信回路に電源を供給するための電池と、
上記電池の底面を上記筐体の外面に対向させるとともに、上記電池の側面を上記カード挿入口に対向させて着脱可能に保持する電池保持手段と、
上記カード挿入口から挿入されたメモリカードを保持するカード保持手段とを備え、
上記カード保持手段が、上記メモリカードに対し、第１の挿入位置から付勢力を付与する付勢手段と、上記付勢力に抗して第２の挿入位置まで挿入された状態でメモリカードを係止する係止手段とを有し、
上記電池の側面が、上記第１の挿入位置におけるメモリカードの後端位置と、上記第２の挿入位置におけるメモリカードの後端位置との間に位置することを特徴とする携帯通信端末装置。
【請求項２】
上記メモリカードは、第２の挿入位置よりも手前側の第３の挿入位置から上記データ通信回路と電気的に接続され、
上記電池の側面が、上記第２の挿入位置におけるメモリカードの後端位置と、上記第３の挿入位置におけるメモリカードの後端位置との間に位置することを特徴とする請求項１に記載の携帯通信端末装置。
【請求項３】
上記カード保持手段は、上記第２の挿入位置において係止されている上記メモリカードが第４の挿入位置まで押し込まれた場合に、上記係止状態を解除することを特徴とする請求項１に記載の携帯通信端末装置。
【請求項４】
上記電池が、２つの主面及び端面からなる薄型形状からなり、
上記電池保持手段が、上記電池の一主面を筐体に対向させた状態で上記電池を保持し、
上記カード挿入口は、上記電池の端面に対向して形成されていることを特徴とする請求項１に記載の携帯通信端末装置。
【請求項５】
上記筐体に着脱可能に嵌合される蓋を備え、
上記筐体の外面には、上記蓋によって塞がれる上記電池を収容するための凹部が形成され、
上記カード挿入口は、上記凹部を構成する壁面上に形成されていることを特徴とする請求項１に記載の携帯通信端末装置。
【請求項６】
上記凹部の底面と、上記カード挿入口が形成された壁面との間には、傾斜面が形成されていることを特徴とする請求項５に記載の携帯通信端末装置。
【発明の詳細な説明】
【技術分野】
【０００１】
本発明は、携帯電話機などの携帯通信端末装置に係り、さらに詳しくは、ＳＤ(Secure Digital)カードなどのメモリカードを携帯通信端末装置に装着するための構造の改良に関する。
【背景技術】
【０００２】
携帯通信端末装置の中には、ＳＤカードなどのメモリカードが着脱可能となっており、メモリカードを装着した状態で使用することにより、そのメモリカードに必要なデータを書き込んだり、メモリカードから必要なデータを読み出したりすることができるようになっているものがある。
【０００３】
この種の携帯通信端末装置の一例である携帯電話機においては、通常、ハウジングの外側面にカード挿入口が形成され、そのカード挿入口からハウジング内にメモリカードを挿入することができるようになっている。カード挿入口には、ゴム製の蓋が取り付けられ、メモリカードがカード挿入口から抜け落ちるのを防止している。
【０００４】
しかしながら、このような構造では、携帯電話機を誤って落下させてしまった場合などに、カード挿入口を塞ぐ蓋が外れて、メモリカードがカード挿入口から抜け落ちるおそれがあった。そこで、携帯電話機のハウジングに形成された電池を挿入するための凹部内に、ＳＩＭ(Subscriber Identity Module)カードを挿入するためのカード挿入口を形成するような構成が提案されている（例えば、特許文献１）。この構成において、カード挿入口からＳＩＭカードが挿入された後、カード挿入口がロック蓋により塞がれ、凹部内に電池が配置されるとともに、凹部が電池蓋で塞がれることにより、ＳＩＭカードがカード挿入口から抜け落ちにくくなっている。
【特許文献１】特開２００５−１５９６３８号公報
【発明の開示】
【発明が解決しようとする課題】
【０００５】
しかしながら、上記のような構成では、ＳＩＭカードを着脱する際に、電池の着脱に加えてロック蓋を開閉しなければならず、作業が煩雑になるという問題があった。また、ロック蓋でカード挿入口を塞ぐような構成にすることにより、ＳＩＭカードの後端位置がカード挿入口側に奥まった状態となり、ＳＩＭカードを引き抜きにくいという問題があった。
【０００６】
また、メモリカードの装着が不完全な状態で携帯通信端末装置が使用されると、必要なデータをメモリカードに対して正常に読み書きできないだけでなく、故障の原因にもなりうるので、このような状態を防止できるような構成であることが好ましい。
【０００７】
さらに、携帯通信端末装置が通電した状態、特にメモリカードに対するデータの読み書き中にメモリカードが着脱された場合にも故障の原因になりうるので、これを防止できるような構成が望まれていた。
【０００８】
本発明は、上記の事情に鑑みてなされたものであり、メモリカードの着脱が容易であり、メモリカードが抜け落ちるのを効果的に防止できる携帯通信端末装置を提供することを目的とする。また、本発明は、メモリカードの装着が不完全な状態で使用されるのを防止できる携帯通信端末装置を提供することを目的とする。また、本発明は、通電状態でメモリカードが着脱されるのを防止できる携帯通信端末装置を提供することを目的とする。
【課題を解決するための手段】
【０００９】
第１の本発明による携帯通信端末装置は、データ通信回路を内蔵し、上記データ通信回路に電気的に接続されるメモリカードが挿入されるカード挿入口が形成された筐体と、上記データ通信回路に電源を供給するための電池と、上記電池の底面を上記筐体の外面に対向させるとともに、上記電池の側面を上記カード挿入口に対向させて着脱可能に保持する電池保持手段と、上記カード挿入口から挿入されたメモリカードを保持するカード保持手段とを備え、上記カード保持手段が、上記メモリカードに対し、第１の挿入位置から付勢力を付与する付勢手段と、上記付勢力に抗して第２の挿入位置まで挿入された状態でメモリカードを係止する係止手段とを有し、上記電池の側面が、上記第１の挿入位置におけるメモリカードの後端位置と、上記第２の挿入位置におけるメモリカードの後端位置との間に位置するように構成される。
【００１０】
このような構成により、カード挿入口に対してメモリカードを第１の挿入位置まで挿入した後、付勢手段の付勢力に抗してさらにメモリカードを挿入することにより、第２の挿入位置でメモリカードを係止して、メモリカードをデータ通信回路と電気的に接続された状態で保持することができる。
【００１１】
したがって、筐体から電池を取り外した後、直ちにカード挿入口に対してメモリカードを着脱することができるので、カード挿入口を蓋で開閉する作業を伴うような構成と比較して、メモリカードの着脱が容易である。また、万一、カード保持手段によるメモリカードの係止状態が外れた場合であっても、メモリカードの後端を電池の側面に当接させ、カード挿入口から抜け落ちるのを防止できる。
【００１２】
また、電池のカード挿入口に対向する側面が、第１の挿入位置におけるメモリカードの後端位置と、第２の挿入位置におけるメモリカードの後端位置との間に位置するので、メモリカードが第２の挿入位置まで挿入されて係止された状態でなければ、筐体に電池を取り付けることができない。
【００１３】
すなわち、メモリカードが第２の挿入位置で係止されていない状態では、メモリカードは、カード保持手段から受ける付勢力によって、第１の挿入位置又はそれよりも後方まで押し戻されることとなる。この状態では、筐体に電池を取り付けようとしても、電池を配置すべき領域にまでメモリカードの後端が張り出しており、メモリカードが電池に干渉してしまう。したがって、メモリカードがカード保持手段により係止された状態でのみ携帯通信端末装置が使用可能となり、メモリカードの装着が不完全な状態で使用されるのを防止できる。
【００１４】
また、メモリカードをカード挿入口から着脱するためには、まず筐体から電池を取り外さなければならない。したがって、メモリカードをカード挿入口に対して着脱する際には、携帯通信端末装置から電池が確実に取り外された状態となっており、携帯通信端末装置が非通電状態となっているので、通電状態でメモリカードが着脱されるのを防止できる。
【００１５】
第２の本発明による携帯通信端末装置において、上記メモリカードは、第２の挿入位置よりも手前側の第３の挿入位置から上記データ通信回路と電気的に接続され、上記電池の側面が、上記第２の挿入位置におけるメモリカードの後端位置と、上記第３の挿入位置におけるメモリカードの後端位置との間に位置するように構成される。
【００１６】
このような構成により、万一、カード保持手段によるメモリカードの係止状態が外れた場合であっても、第２の挿入位置と第３の挿入位置との間で、メモリカードの後端を電池の側面に当接させ、カード挿入口から抜け落ちるのを防止できる。第２の挿入位置と第３の挿入位置との間では、メモリカードがデータ通信回路と電気的に接続された状態となるので、メモリカードの係止状態が外れることにより電気的に非接続状態となるのを防止できる。
【００１７】
第３の本発明による携帯通信端末装置において、上記カード保持手段は、上記第２の挿入位置において係止されている上記メモリカードが第４の挿入位置まで押し込まれた場合に、上記係止状態を解除するように構成される。
【００１８】
このような構成により、第２の挿入位置から第４の挿入位置までメモリカードを押し込むだけで、メモリカードに対する係止状態を容易に解除することができる。したがって、メモリカードに対する係止状態を解除するためのイジェクトボタンのような操作部を設ける必要がないので、省スペース化を図ることができる。
【００１９】
第４の本発明による携帯通信端末装置において、上記電池が、２つの主面及び端面からなる薄型形状からなり、上記電池保持手段が、上記電池の一主面を筐体に対向させた状態で上記電池を保持し、上記カード挿入口は、上記電池の端面に対向して形成されている。
【００２０】
このような構成により、薄型形状からなる電池の端面を、第１の挿入位置におけるメモリカードの後端位置と、第２の挿入位置におけるメモリカードの後端位置との間に位置する状態で、カード挿入口に対向させることができる。
【００２１】
第５の本発明による携帯通信端末装置は、上記筐体に着脱可能に嵌合される蓋を備え、上記筐体の外面には、上記蓋によって塞がれる上記電池を収容するための凹部が形成され、上記カード挿入口は、上記凹部を構成する壁面上に形成されている。
【００２２】
このような構成により、カード挿入口が形成されている凹部を蓋で塞ぐことによって、カード挿入口を覆うための蓋を設けなくても、カード挿入口に水分やごみが入り込むのを防止できる。
【００２３】
第６の本発明による携帯通信端末装置において、上記凹部の底面と、上記カード挿入口が形成された壁面との間には、傾斜面が形成されている。
【００２４】
このような構成により、カード挿入口に挿入するメモリカードの前端を、傾斜面に沿ってカード挿入口に導くことができる。つまり、メモリカードの前端をカード挿入口に直接挿入しなくても、凹部の底面に沿ってメモリカードをスライドさせることにより、メモリカードの前端を傾斜面に沿ってカード挿入口に挿入することができるので、メモリカードの着脱がさらに容易である。
【発明の効果】
【００２５】
本発明によれば、筐体から電池を取り外した後、直ちにカード挿入口に対してメモリカードを着脱することができるので、カード挿入口を蓋で開閉する作業を伴うような構成と比較して、メモリカードの着脱が容易である。また、万一、カード保持手段によるメモリカードの係止状態が外れた場合であっても、メモリカードの後端を電池の側面に当接させ、カード挿入口から抜け落ちるのを防止できる。
【００２６】
また、本発明によれば、電池のカード挿入口に対向する側面が、第１の挿入位置におけるメモリカードの後端位置と、第２の挿入位置におけるメモリカードの後端位置との間に位置するので、メモリカードが第２の挿入位置まで挿入されて係止された状態でなければ、筐体に電池を取り付けることができない。したがって、メモリカードがカード保持手段により係止された状態でのみ携帯通信端末装置が使用可能となり、メモリカードの装着が不完全な状態で使用されるのを防止できる。
【００２７】
また、本発明によれば、メモリカードをカード挿入口から着脱するためには、まず筐体から電池を取り外さなければならない。したがって、メモリカードをカード挿入口に対して着脱する際には、携帯通信端末装置から電池が確実に取り外された状態となっており、携帯通信端末装置が非通電状態となっているので、通電状態でメモリカードが着脱されるのを防止できる。
【発明を実施するための最良の形態】
【００２８】
図１は、本発明の実施の形態による携帯通信端末装置の一例を示した斜視図であり、携帯通信端末装置の一例として携帯電話機１が示されている。この携帯電話機１は、いわゆる折り畳み式の携帯電話機であり、表示筐体２及び操作筐体３がヒンジ部４を介して連結され、図１に示すように、表示筐体２及び操作筐体３の一面を対向させて折り畳むことができる。表示筐体２及び操作筐体３は、それぞれ薄型の長尺形状に形成され、その長手方向の一端部においてヒンジ部４により互いに連結されている。
【００２９】
表示筐体２には、折り畳み時に内側となる内面にメイン表示部が配置され、操作筐体３には、折り畳み時に内側となる内面に多数の操作キーが配置されている（いずれも図示せず）。このような折り畳み式の携帯電話機１は、コンパクトに折り畳んだ状態で携帯することができ、ヒンジ部４を中心に表示筐体２及び操作筐体３を展開させれば、メイン表示部の表示を見ながら、操作キーを押下操作することができる。
【００３０】
操作筐体３には、折り畳み時に外側となる外面３１に凹部３２が形成されており、携帯電話機１に電源を供給するための電池５を凹部３２内に収容することができるようになっている。より具体的には、凹部３２は、操作筐体３の外面３１におけるヒンジ部４とは反対側半分程度の領域に矩形形状に形成されており、凹部３２内に電池を収容した状態で、矩形形状の蓋３３を操作筐体３に嵌合することにより、凹部３２を塞ぐことができるようになっている。
【００３１】
蓋３３は、操作筐体３の長手方向（以下、「前後方向」と呼ぶこととする。）にスライドさせることにより、操作筐体３に対して着脱できるようになっている。図１に示す状態から、蓋３３をヒンジ部４とは反対方向にスライドさせると、操作筐体３に対する蓋３３の係止状態が解除され、蓋３３を取り外すことが可能になる。逆に、蓋３３を凹部３２に対向するように配置した後、ヒンジ部４側に向かってスライドさせると、蓋３３が操作筐体３に係止され、凹部３２が蓋３３により塞がれた状態となる。
【００３２】
操作筐体３におけるヒンジ部４側、すなわち凹部３２が形成されている側と反対側の内部には、ＣＰＵ(Central Processing Unit)を含むデータ通信回路６が内蔵されている。データ通信回路６は、電池５から供給される電源により駆動し、他の通信装置とデータ通信を行うための制御を行うものである。電池５は、凹部３２内に収容された状態で、データ通信回路６に対して電気的に接続される。
【００３３】
図２は、図１の操作筐体３の斜視図であり、蓋３３を取り外した状態において電池５を取り付ける際の態様を示している。図３は、図１の操作筐体３の平面図であり、蓋３３及び電池５を取り外した状態を示している。図４は、図３の操作筐体３のＡ−Ａ断面図であり、蓋３３及び電池５を取り付けた状態を示している。
【００３４】
電池５は、矩形形状に形成されたリチウム電池であり、一般的な携帯電話機に使用される電池と同様の周知の構成である。電池５は、互いに平行な略矩形形状の２つの主面５１、及びこれらの主面５１の対向する端辺を連結する４つの端面５２とからなる薄型形状とされている。操作筐体３の外面３１に形成された凹部３２は、電池５の形状に対応する矩形形状に形成され、その底面３４が電池５と当接するようになっている。
【００３５】
凹部３２の底面３４におけるヒンジ部４と反対側の一部には開口３５が形成されており、この開口３５を介して操作筐体３の内部にＵＳＩＭ（Universal Subscriber Identity Module）カード７を着脱することができるようになっている。ＵＳＩＭカード７は、ＥＥＰＲＯＭ（Electrically Erasable Programmable Read-Only Memory）などの不揮発性メモリを備えたＩＣカードであり、この携帯電話機１の電話番号やメールアドレスなどの加入者識別情報が記憶されている。
【００３６】
凹部３２は、矩形形状の底面３４と、この底面３４の４辺から直立するように形成され、凹部３２に収容される電池５の端面５２に対向する壁面とにより区画形成されている。凹部３２の深さは、電池５の厚みと同程度である。凹部３２におけるヒンジ部４側の壁面３６は、操作筐体３の短手方向（以下、「左右方向」と呼ぶこととする。）の左側半分程度の領域に、左右方向に細長く延びるカード挿入口３７が形成されている。
【００３７】
カード挿入口３７には、ＳＤ(Secure Digital)カード８を挿入して装着することができ、ＳＤカード８を装着した状態で携帯電話機１を使用することにより、そのＳＤカード８に必要なデータを書き込んだり、ＳＤカード８から必要なデータを読み出したりすることができるようになっている。ＳＤカード８は、薄いシート状に形成され、内部にメモリが備えられたメモリカードの一例であり、ＳＤカード８には、例えば、この携帯電話機１に備えられたカメラ（図示せず）により撮影した画像データや基地局から受信したデータなどを書き込むことができる。
【００３８】
操作筐体３におけるヒンジ部４側、すなわち凹部３２が形成されている側と反対側の内部には、カード挿入口３７から挿入されるＳＤカード８を保持するためのＳＤカード保持装置９が備えられている（図４参照）。このＳＤカード保持装置９は、いわゆるスロットイン方式のカード保持手段であり、カード挿入口３７から前方に向かって挿入されるＳＤカード８を収容し、ＳＤカード８の前端部に形成された端子（図示せず）を図１に示すデータ通信回路６に電気的に接続した状態で保持するものである。
【００３９】
ＳＤカード８を装着する際には、蓋３３及び電池５を取り外した状態でカード挿入口３７からＳＤカード８を前端８１から挿入し、ＳＤカード保持装置９によりＳＤカード８を保持した状態で、図２に矢印で示すように、凹部３２内に電池５を挿入する。その後、操作筐体３に蓋３３を取り付けて凹部３２を塞ぐことにより、図４に示すような状態となる。この状態では、電池５のカード挿入口３７に対向する端面５２の厚み方向中央部が、ＳＤカード８の後端８２に対して前後方向、すなわちＳＤカード８のスライド方向に対向している。
【００４０】
電池５は、凹部３２内に収容された状態で、凹部３２の壁面により前後方向及び左右方向への移動が規制されるとともに、凹部３２の底面３４及び蓋３３により厚み方向への移動が規制され、操作筐体３内に固定された状態となる。このように、凹部３２及び蓋３３は、電池５の一主面５１を凹部３２の底面３４に対向させた状態で電池を保持する電池保持手段を構成している。
【００４１】
凹部３２の底面３４及びカード挿入口３７が形成された壁面３６は、傾斜面３８を介して連続している。より具体的には、壁面３６におけるカード挿入口３７が形成されている領域の下端、すなわち壁面３６の左側半分程度の領域の下端から、底面３４に向かってなだらかに下り傾斜するように傾斜面３８が形成されている。
【００４２】
これにより、ＳＤカード８を装着する際には、ＳＤカード８の前端８１を傾斜面３８に沿ってカード挿入口３７に導くことができる。つまり、ＳＤカード８の前端８１をカード挿入口３７に直接挿入しなくても、底面３４に沿ってＳＤカード８をスライドさせることにより、ＳＤカード８の前端８１を傾斜面３８に沿ってカード挿入口３７に挿入することができるので、ＳＤカード８の着脱が容易である。
【００４３】
図５は、ＳＤカード保持装置９の一構成例を示す概念図である。ＳＤカード保持装置９は、カード挿入口３７から挿入されるＳＤカード８に当接する当接部９１と、この当接部９１に付勢力を付与する付勢手段９２と、ＳＤカード８の挿入位置を検出する検出手段９３と、この検出手段９３による検出結果に基づいてＳＤカード８を係止する係止手段９４とを備えている。
【００４４】
付勢手段９２は、例えばバネからなり、カード挿入口３７から挿入されて当接部９１に当接したＳＤカード８が更に前方にスライドされると、当接部９１を介して、ＳＤカード８に対して挿入方向と反対方向に付勢力を付与する。係止手段９４には、ＳＤカード８を係止するための係止部９５が、前後方向と交差する方向、例えば左右方向に進退可能に設けられており、ＳＤカード８には、この係止部９５に対応する形状の係止用凹部８３が形成されている。
【００４５】
検出手段９３は、ＳＤカード８の挿入位置を機械的又は電気的に検出する手段である。ＳＤカード８が所定の挿入位置まで挿入されたことが検出手段９３により検出されると、係止手段９４の係止部９５がＳＤカード８の係止用凹部８３内に進入することによりＳＤカード８が係止され、ＳＤカード８が挿入方向と反対方向にスライドできない状態となる。
【００４６】
ＳＤカード８の前端部には、電気的接続のための端子８４が形成されている。一方、操作筐体３の内部には、ＳＤカード８が係止された状態で上記端子８４に当接し、データ通信回路６に対して電気的に接続された端子９６が形成されている。したがって、ＳＤカード８が係止された状態では、端子８４，９６同士が当接することにより、ＳＤカード８とデータ通信回路６とが電気的に接続されるようになっている。
【００４７】
ＳＤカード８がＳＤカード保持装置９の係止手段９４により係止された状態であっても、ＳＤカード８を挿入方向にスライドさせることは可能になっており、係止状態からＳＤカード８を挿入方向にスライドさせることにより、係止状態を解除することができるようになっている。
【００４８】
図６は、図１の操作筐体３の概略平面図であり、（ａ）はＳＤカード８が第１の挿入位置にある状態、（ｂ）はＳＤカード８が第１の挿入位置よりも前方に位置する第３の挿入位置にある状態、（ｃ）はＳＤカード８が第３の挿入位置よりも前方に位置する第４の挿入位置にある状態、（ｄ）はＳＤカード８が第３の挿入位置と第４の挿入位置との間に位置する第２の挿入位置にある状態を示している。
【００４９】
図６（ａ）に示す第１の挿入位置では、カード挿入口３７から挿入されたＳＤカード８がＳＤカード保持装置９の当接部９１に当接している。したがって、ＳＤカード８をカード挿入口３７に挿入してから、図６（ａ）に示す第１の挿入位置に至るまでは、ＳＤカード８は付勢手段９２からの付勢力を受けず、この第１の挿入位置においてＳＤカード８が当接部９１に当接した後、更に前方にスライドされると、付勢手段９２から当接部９１を介して付勢力を受けることとなる。そして、付勢手段９２の付勢力に抗してＳＤカード８を前方にスライドすることにより、図６（ｄ）に示す第２の挿入位置において、ＳＤカード保持装置９の係止手段９４によりＳＤカード８を係止した状態で保持することができる。
【００５０】
図６（ａ）に示す第１の挿入位置からＳＤカード８を前方にスライドさせて、図６（ｄ）に示す第２の挿入位置で係止するまでの間に、ＳＤカード８は、図６（ｂ）に示す第３の挿入位置を通過し、図６（ｃ）に示すように、第３の挿入位置よりも前方となる第４の挿入位置まで一旦スライドされ、その後に付勢手段９２の付勢力によって後方に押し戻されて、第２の挿入位置で係止されるようになっている。
【００５１】
ＳＤカード８は、図６（ａ）に示す第１の挿入位置においては、データ通信回路６に対して電気的に接続されていないが、この状態から図６（ｂ）に示す第３の挿入位置までスライドされると、端子８４，９６が当接して、データ通信回路６と電気的に接続される。各端子８４，９６は、ＳＤカード８のスライド方向に沿って長尺形状に形成されているため、図６（ｂ）に示す第３の挿入位置と、図６（ｃ）に示す第４の挿入位置との間で、ＳＤカード８は、データ通信回路６に対して常に電気的に接続された状態となる。
【００５２】
第４の挿入位置においては、図６（ｃ）に示すように、ＳＤカード８の後端８２が凹部３２の壁面３６とほぼ同じ位置となる一方、第２の挿入位置で係止された状態においては、図６（ｄ）に示すように、ＳＤカード８の後端８２が壁面３６よりも後方に位置し、ＳＤカード８の後端８２がカード挿入口３７から若干量、例えば１〜２ｍｍ程度突出した状態となる。
【００５３】
ＳＤカード８を取り外す際には、図６（ｄ）に示す第２の挿入位置から図６（ｃ）に示す第４の挿入位置までＳＤカード８を押し込むことにより、係止手段９４による係止状態を解除することができる。その後、ＳＤカード８に対する押圧力を弱めるか又は解除することにより、付勢手段９２の付勢力によって、図６（ａ）に示す第１の挿入位置又はそれよりも後方までＳＤカード８が押し戻され、ＳＤカード８をカード挿入口３７から引き抜くことが可能になる。
【００５４】
凹部３２に挿入される電池５のカード挿入口３７に対向する端面５２は、図６（ｂ）に示すように、第３の挿入位置におけるＳＤカード８の後端８２よりも前方に位置し、かつ、図６（ｄ）に示すように、第２の挿入位置におけるＳＤカード８の後端８２よりも後方に位置している。図６（ｄ）に示すように、ＳＤカード８及び電池５が装着された状態では、電池５のカード挿入口３７に対向する端面５２は、ＳＤカード８の後端８２に対して０．５ｍｍ程度の間隔を隔てて対向している。
【００５５】
本実施の形態では、カード挿入口３７に対してＳＤカード８を第１の挿入位置まで挿入した後、付勢手段９２の付勢力に抗してさらにＳＤカード８を挿入することにより、第２の挿入位置でＳＤカード８を係止して、ＳＤカード８をデータ通信回路６と電気的に接続された状態で保持することができる。
【００５６】
したがって、操作筐体３から電池５を取り外した後、直ちにカード挿入口３７に対してＳＤカード８を着脱することができるので、カード挿入口を蓋で開閉する作業を伴うような構成と比較して、ＳＤカード８の着脱が容易である。また、万一、ＳＤカード保持装置９によるＳＤカード８の係止状態が外れた場合であっても、メモリカードの後端を電池の側面に当接させ、カード挿入口から抜け落ちるのを防止できる。
【００５７】
また、電池５のカード挿入口３７に対向する端面５２が、第１の挿入位置におけるＳＤカード８の後端位置と、第２の挿入位置におけるＳＤカード８の後端位置との間に位置するので、ＳＤカード８が第２の挿入位置まで挿入されて係止された状態でなければ、操作筐体３に電池５を取り付けることができない。
【００５８】
すなわち、ＳＤカード８が第２の挿入位置で係止されていない状態では、ＳＤカード８は、ＳＤカード保持装置９から受ける付勢力によって、図６（ａ）に示す第１の挿入位置又はそれよりも後方まで押し戻されることとなる。この状態では、操作筐体３に電池５を取り付けようとしても、電池５を配置すべき領域にまでＳＤカード８の後端８２が張り出しており、ＳＤカード８が電池５に干渉してしまう。したがって、ＳＤカード８がＳＤカード保持装置９により係止された状態でのみ携帯電話機１が使用可能となり、ＳＤカード８の装着が不完全な状態で使用されるのを防止できる。
【００５９】
また、ＳＤカード８をカード挿入口３７から着脱するためには、まず操作筐体３から電池５を取り外さなければならない。したがって、ＳＤカード８をカード挿入口３７に対して着脱する際には、携帯電話機１から電池５が確実に取り外された状態となっており、携帯電話機１が非通電状態となっているので、通電状態でＳＤカード８が着脱されるのを防止できる。
【００６０】
また、万一、ＳＤカード保持装置９によるＳＤカード８の係止状態が外れた場合であっても、図６（ｄ）に示す第２の挿入位置と図６（ｂ）に示す第３の挿入位置との間で、ＳＤカード８の後端を電池５の端面５２に当接させ、カード挿入口３７から抜け落ちるのを防止できる。第２の挿入位置と第３の挿入位置との間では、ＳＤカード８がデータ通信回路６と電気的に接続された状態となるので、ＳＤカード８の係止状態が外れることにより電気的に非接続状態となるのを防止できる。
【００６１】
また、本実施の形態では、図６（ｄ）に示す第２の挿入位置から図６（ｃ）に示す第４の挿入位置までＳＤカード８を押し込むだけで、ＳＤカード８に対する係止手段９４の係止状態を容易に解除することができる。したがって、ＳＤカード８に対する係止状態を解除するためのイジェクトボタンのような操作部を設ける必要がないので、省スペース化を図ることができる。
【００６２】
さらに、本実施の形態では、カード挿入口３７にＳＤカード８を挿入するとともに、凹部３２内に電池５を収容した状態で、凹部３２を蓋３３で塞ぐことができる。したがって、カード挿入口３７が形成されている凹部３２を蓋３３で塞ぐことによって、カード挿入口３７を覆うための蓋を設けなくても、カード挿入口３７に水分やごみが入り込むのを防止できる。
【００６３】
上記実施の形態では、メモリカードの一例としてＳＤカード８について説明したが、ＳＤカードに限らず、データを記憶可能な他のメモリカードであってもよい。
【００６４】
また、携帯通信端末装置の一例として折り畳み式の携帯電話機１について説明したが、本発明は、折り畳み式の携帯電話機１に限らず、例えば１つの筐体に表示部及び操作部が備えられた構成からなる折り畳み式でない携帯電話機にも適用可能である。
【図面の簡単な説明】
【００６５】
【図１】本発明の実施の形態による携帯通信端末装置の一例を示した斜視図であり、携帯通信端末装置の一例として携帯電話機が示されている。
【図２】図１の操作筐体の斜視図であり、蓋を取り外した状態において電池を取り付ける際の態様を示している。
【図３】図１の操作筐体の平面図であり、蓋及び電池を取り外した状態を示している。
【図４】図３の操作筐体のＡ−Ａ断面図であり、蓋及び電池を取り付けた状態を示している。
【図５】ＳＤカード保持装置の一構成例を示す概念図である。
【図６】図１の操作筐体の概略平面図であり、（ａ）はＳＤカードが第１の挿入位置にある状態、（ｂ）はＳＤカードが第３の挿入位置にある状態、（ｃ）はＳＤカードが第４の挿入位置にある状態、（ｄ）はＳＤカードが第２の挿入位置にある状態を示している。
【符号の説明】
【００６６】
１  携帯電話機
２  表示筐体
３  操作筐体
４  ヒンジ部
５  電池
６  データ通信回路
７  ＵＳＩＭカード
８  ＳＤカード
９  ＳＤカード保持装置
３１  外面
３２  凹部
３３  蓋
３４  底面
３５  開口
３６  壁面
３７  カード挿入口
３８  傾斜面
５１  主面
５２  端面
８１  前端
８２  後端
８３  係止用凹部
８４  端子
９１  当接部
９２  付勢手段
９３  検出手段
９４  係止手段
９５  係止部
９６  端子
【図１】
2007109036.tif 000003
【図２】
2007109036.tif 000004
【図３】
2007109036.tif 000005
【図４】
2007109036.tif 000006
【図５】
2007109036.tif 000007
【図６】
2007109036.tif 000008